(57)【要約】  取得した電子文書に参照される電子文書の評価を取得するための方法、電子装置（１１０）、コンピュータプログラム製品、及びコンピュータ可読媒体。電子装置（１１０）は、１以上の別の電子文書の１以上の参照を含む電子文書を取得するように構成された取得部（１１１）を備える。電子装置（１１０）は処理部（１１２）も備える。処理部（１１２）は取得した電子文書から（単複の）参照を検索するように構成される。さらに、処理部は、上記検索した（単複の）参照に関連付けられた（単複の）電子文書の評価を求める要求を第２のサーバ（１３０）に送信し、評価の結果を含む応答を第２のサーバ（１３０）から受信するように構成される。【選択図】図５
2009510577.tif 000002
【特許請求の範囲】
【請求項１】
少なくとも一つの電子文書の評価を取得する方法であって、
第１の電子文書を取得する工程であって、該第１の電子文書は少なくとも第２の電子文書への少なくとも一つの参照を含む工程と、
前記第１の電子文書から前記参照を検索する工程と、
前記検索された参照に関連付けられた前記電子文書の評価を求める要求をサーバ（１３０）に送信する工程と、
前記評価の結果を含む応答を前記サーバ（１３０）から受信する工程と
を備える電子文書の評価を取得する方法。
【請求項２】
前記検索する工程は、前記第１の電子文書から前記参照を抽出する工程を含むことを特徴とする請求項１に記載の電子文書の評価を取得する方法。
【請求項３】
前記検索された参照に関連付けられた前記電子文書の前記評価に影響を与えるためにコンテキストデータを前記要求に組み込む工程をさらに備える請求項１又は２に記載の電子文書の評価を取得する方法。
【請求項４】
前記第１の電子文書と前記評価の結果とを統合する工程をさらに備える請求項１乃至３の何れか１項に記載の電子文書の評価を取得する方法。
【請求項５】
前記取得する工程の前に、前記第１の電子文書を電子機器（４１０）へ返信することを求める要求を該電子機器（４１０）から受信する工程を備える請求項１乃至４の何れか１項に記載の電子文書の評価を取得する方法。
【請求項６】
前記統合する工程の後に、前記第１の電子文書と前記評価の結果とを前記電子機器（４１０）に送信する工程を備える請求項５に記載の電子文書の評価を取得する方法。
【請求項７】
コンピュータに、請求項１乃至６の何れか１項に記載の電子文書の評価を取得する方法を実行させるためのコンピュータプログラム。
【請求項８】
請求項７に記載のコンピュータプログラムを記憶したコンピュータで読み取り可能な記憶媒体。
【請求項９】
少なくとも一つの電子文書の評価を取得する電子装置（１１０）であって、
第１の電子文書を取得するように構成された取得部（１１１）であって、該第１の電子文書は少なくとも第２の電子文書への少なくとも一つの参照を含む取得部（１１１）と、
前記第１の電子文書から前記参照を検索し、
前記検索された参照に関連付けられた前記電子文書の評価を求める要求をサーバ（１３０）に送信し、
前記評価の結果を含む応答を前記サーバ（１３０）から受信する
ように構成された処理部（１１２）と
を備える電子文書の評価を取得する電子装置（１１０）。
【請求項１０】
前記処理部（１１２）は、前記第１の電子文書から前記参照を抽出するように構成されたことを特徴とする請求項９に記載の電子文書の評価を取得する電子装置（１１０）。
【請求項１１】
前記要求は、前記検索された参照に関連付けられた前記電子文書の前記評価に影響を与えるためのコンテキストデータを備えることを特徴とする請求項９又は１０に記載の電子文書の評価を取得する電子装置（１１０）。
【請求項１２】
前記処理部（１１２）は、前記第１の電子文書と前記評価の結果とを統合するように構成されたことを特徴とする請求項９乃至１１の何れか１項に記載の電子文書の評価を取得する電子装置（１１０）。
【請求項１３】
前記電子装置（１１０）は、前記第１の電子文書を電子機器（４１０）に返信することを求める要求を該電子機器（４１０）から受信するように構成されたことを特徴とする請求項９乃至１２の何れか１項に記載の電子文書の評価を取得する電子装置（１１０）。
【請求項１４】
前記電子装置（１１０）は、前記第１の電子文書と前記評価の結果とを前記電子機器（４１０）に送信するように構成されたことを特徴とする請求項１３に記載の電子文書の評価を取得する電子装置（１１０）。
【請求項１５】
請求項９乃至１２の何れか１項に記載の電子装置を備える移動体端末（２１０）。
【請求項１６】
前記移動体端末は、通信装置、携帯用若しくはハンドヘルド型移動無線通信装置、移動体無線端末、携帯電話、ページャ、コミュニケータ、電子手帳、スマートフォン、又はコンピュータであることを特徴とする請求項１５に記載の移動体端末。
【請求項１７】
請求項９乃至１４の何れか１項に記載の電子装置（１１０）を備えるサーバ（４４０）。
【発明の詳細な説明】
【技術分野】
【０００１】
本発明は、取得した電子文書の中で参照される電子文書の評価を取得する方法、電子装置、コンピュータプログラム製品及びコンピュータで読み取り可能な記憶媒体に関する。
【背景技術】
【０００２】
例えば、インターネットを介してアクセス可能なワールドワイドウェブのようなグローバルな情報ネットワークは多量の情報を含む。この情報の所望の部分を見つけることは挑戦すべき課題になり得る。
【０００３】
検索エンジンの使用により情報検索は容易になるであろう。検索エンジンの目的は、ユーザが最初に入力したサーチクエリに一致する複数のリンクを提供することであろう。サーチクエリに応答して返信されるリンクの関連性と品質との少なくともいずれかを表示する試みにおいて、検索エンジンは、あるリンクに関連付けられ又は対応するウェブ文書にランクを割り当てるかもしれない。このランクは、所定の基準に基づいて、あるリンクに関連付けられたウェブ文書の関連性を反映するように設計されるかもしれない。検索エンジンに関する欠点は、あるリンクに関連付けられたウェブ文書のランクを取得するために、サーチクエリが入力されなければならないということである。
【０００４】
別の解決策によれば、棒グラフの形式でランクが表示されるかもしれない。例えば、あるウェブアドレスがウェブブラウザに入力されたとする。この場合に、入力されたウェブアドレスに関連付けられたウェブ文書のランクは、ウェブ文書と共にウェブブラウザに表示される。しかし、この解決策に関する欠点は、入力されたウェブアドレスに関連付けられたウェブ文書のランクを取得するために、あるウェブアドレスをウェブブラウザに入力しなければならないということ、すなわち、ウェブ文書をダウンロードしなければならないということである。
【０００５】
情報の所望の部分を見つけるための通信セッション中に、上述の欠点は帯域の過度の使用という問題を引き起こすかもしれない。これは、通信セッション全体が、無関係であることが判明する一つ又は複数のウェブ文書の取得又はダウンロードを伴うであろうという事実に少なくとも部分的に起因して生じる。さらに、帯域の過度の使用は高い電力消費を伴うであろう。検索エンジンがバッテリ駆動装置で用いられる場合には、バッテリを急速に消耗するであろうため、高い電力消費は問題となるであろう。
【発明の開示】
【発明が解決しようとする課題】
【０００６】
本発明の目的は、電子文書の評価を取得するための一層効率のよい方法及び電子装置を提供することである。
【課題を解決するための手段】
【０００７】
第１の態様によれば、少なくとも一つ電子文書の評価を取得する方法が提供される。この方法は、第１の電子文書を取得するステップであって、該第１の電子文書は少なくとも第２の電子文書への少なくとも一つの参照を含むステップを備える。さらに、上記方法は、第１の電子文書から参照を検索するステップと、該検索された参照に関連付けられた電子文書の評価を求める要求をサーバへ送信するステップと、この評価結果を含む応答をサーバから受信するステップとを備える。
【０００８】
上記検索するステップは第１の電子文書から参照を抽出するステップを備えてもよい。
【０００９】
さらに、上記方法は、上記検索された参照に関連付けられた電子文書の評価に影響を与えるためにコンテキストデータを要求の中へ組み込むステップを備えてもよい。
【００１０】
さらに、上記方法は、第１の電子文書と評価結果とを統合するステップを備えてもよい。
【００１１】
ある実施形態では、上記方法は、第１の電子文書を取得するステップの前に、第１の電子文書を電子機器へ返信することを求める要求を該電子機器から受信するステップをさらに備えてもよい。その場合には、上記方法はまた、上記統合するステップの後に、第１の電子文書と評価結果とを電子機器へ送信するステップを備えてもよい。
【００１２】
第２の態様によれば、コンピュータプログラム製品が提供される。このコンピュータプログラム製品は、前記コンピュータプログラムコード手段がコンピュータ能力を有する電子装置により実行される場合に、第１の態様による方法を実行するコンピュータプログラムコード手段を備える。
【００１３】
第３の態様によれば、コンピュータで読み取り可能な記憶媒体が提供される。このコンピュータで読み取り可能な記憶媒体は、上記コンピュータプログラムコード手段がコンピュータ能力を有する電子装置により実行される場合に、第１の態様による方法を実行するコンピュータプログラムコード手段を備えることを特徴とするコンピュータプログラム製品が内部に格納されている。
【００１４】
第４の態様によれば、少なくとも一つの電子文書の評価を取得する電子装置が提供される。電子装置は、少なくとも第２の電子文書への少なくとも一つの参照を含む第１の電子文書を取得するように構成された取得部を備える。さらに、電子装置は、第１の電子文書から参照を検索し、検索された参照に関連付けられた電子文書の評価を求める要求をサーバに送信し、評価の結果を含む応答をサーバから受信するように構成された処理部を備える。
【００１５】
上記処理部は第１の電子文書から参照を抽出するように構成されてもよい。
【００１６】
さらに、上記要求は上記検索した参照に関連付けられた電子文書の評価に影響を与えるためのコンテキストデータを備えてもよい。
【００１７】
さらに、上記処理部は第１の電子文書と上記評価結果とを統合するように構成されてもよい。
【００１８】
ある実施形態では、処理部は第１の電子文書を電子機器に返信することを求める要求を電子機器から受信するように構成されてもよい。その場合、電子機器は、第１の電子文書と評価結果とを電子装置へ送信するように構成されてもよい。
【００１９】
第５の態様によれば、第４の態様に基づく電子装置を備えた移動体端末装置が提供される。この移動体端末は、移動電話機、通信装置、携帯用若しくはハンドヘルド型移動無線通信装置、移動無線端末、携帯電話、ページャ、コミュニケータ、電子手帳、スマートフォン、又はコンピュータなどであってよい。
【００２０】
第６の態様によれば、第４の態様に従う電子装置を備えたサーバが提供される。このサーバはサービスプロバイダ・サーバなどであってよい。
【００２１】
本発明のさらに別の実施形態が従属項に規定される。
【００２２】
「備える／備えている」という用語が本明細書で使用される場合には、上述の特徴、数値、ステップ、又はコンポーネントの存在を指定する用語と理解されるべきであるが、１以上のその他の特徴、数値、ステップ、又はコンポーネント、及びこれらからなるグループの存在又は追加を除外するものではないという点を強調しておく。単数の参照は複数の参照を除外するものではないことも強調しておく。
【発明を実施するための最良の形態】
【００２３】
本発明のさらなる目的、特徴及び利点は、添付の図面を参照しながら行う以下の本発明の実施形態についての詳細な説明で示されるだろう。
【００２４】
図１は通信ネットワーク１００を説明する。通信ネットワーク１００は電子装置１１０、第１のサーバ１２０及び第２のサーバ１３０を備えるであろう。電子装置１１０は、第１のサーバ１２０及び第２のサーバ１３０のような、別の電子装置と通信ネットワーク１００に結合された別の装置又はシステムとのうち少なくともいずれかと、通信ネットワーク１００を介して通信するように構成されるであろう。通信ネットワーク１００はＩＰベースの（インターネットプロトコル）通信ネットワークであってもよい。このことによって、例えば、２Ｇ、２．５Ｇ及び３Ｇの移動体通信ネットワークでのメッセージ通信がインターネットサービスと互換性をもつことが可能になるであろう。
【００２５】
電子装置１１０は取得部１１１を備えるであろう。取得部１１１はウェブブラウザ装置などのようなブラウザ装置であってもよい。取得部１１１は、電子文書の所在検知、アクセス及び取得の少なくともいずれかに使用されるであろう。本明細書における使用においては、「電子文書」という用語は広く解釈されるべきであり、テキスト、画像、映像、音声及び別の電子文書への参照等を含む多くの情報の形式を含むであろう任意の電子文書を記載するために使用される。したがって、電子文書は例えば、ウェブページ、電子メール、ＰＤＦ文書、ＷＯＲＤ文書、画像、ＳＶＧ画像（スケーラブル・ベクター・グラフィックス）等であってもよい。電子文書は、例えば、ハイパーテキスト・マークアップ・ランゲージ（ＨＴＭＬ）、拡張可能なマーク付け言語（ＸＭＬ）、エクステンシブル・ハイパーテキスト・マークアップ・ランゲージ（ＸＨＴＭＬ）、標準一般化マークアップ・ランゲージ（ＳＧＭＬ）、無線用マークアップ・ランゲージ（ＷＭＬ）等のようなマークアップ言語の形式であってもよい。
【００２６】
電子装置１１０の取得部１１１は電子文書を取得するように構成されるであろう。これは多くの異なる方法で行うことができる。例えば、取得部１１１は、ＣＤ、ＤＶＤ又はメモリカードのようなメモリ装置から電子文書を取得するように構成されてもよい。図１に関して、取得部１１１は、例えば第１のサーバ１２０を介して情報ネットワークなどからダウンロード可能な電子文書を取得するように構成されるであろう。情報ネットワークはインターネットのようなグローバルな情報ネットワークであってもよい。または、情報ネットワークはローカルな情報ネットワークであってもよい。さらに、取得した電子文書がＨＴＭＬの形式の場合には、取得部１１１は取得した電子文書のＨＴＭＬコードを解釈するように構成されるであろう。同様に、取得した電子文書がＸＨＴＭＬの形式である場合には、取得部１１１は取得した電子文書のＸＨＴＭＬコードを解釈するように構成されるであろうし、その他の形式も同様である。さらに、取得部１１１はＨＴＴＰプロトコル（ハイパーテキスト・トランスファー・プロトコル）を使用するように構成されてもよい。
【００２７】
第１のサーバ１２０は例えばウェブサーバであってもよい。さらに、第１のサーバ１２０は電子文書を電子装置１１０に配信するように構成されてもよい。例えば、第１のサーバ１２０は、電子装置１１０から送信されるＨＴＴＰリクエストに応答するように構成されてもよい。電子装置１１０は、第１のサーバ１２０が電子文書を配信するように求める要求を第１のサーバ１２０へ送信するであろう。電子装置１１０は、例えば、ＨＴＴＰリクエストの形式で要求を送信してもよい。この要求に応答して、要求の後に第１のサーバ１２０は電子文書を電子装置１１０へ配信するであろう。
【００２８】
電子文書は１以上の別の電子文書に対する１以上の参照を備えるであろう。参照は埋め込まれた参照（ｅｍｂｅｄｄｅｄ  ｒｅｆｅｒｅｎｃｅ）であってもよい。参照は電子文書の中に埋め込まれたものであってもよい。参照は例えばリンク又はハイパーリンクなどであってもよい。さらに、参照は、例えば、ＵＲＩアドレス（統一資源識別子）やＵＲＬアドレス（統一資源指定子）などのような電子アドレスを備えてもよい。参照は所定の電子文書の格納位置を規定するであろう。これにより、参照に関連付けられ又は対応する所定の電子文書の格納位置の所在検知が可能となる。
【００２９】
図１に関して、電子装置１１０において電子文書が利用可能となった時点で、電子装置１１０の処理部１１２は電子文書を処理するように構成される。この目的のために、処理部１１２は、取得した電子文書の中の任意の参照を検索するように構成されるであろう。任意の参照の検索は、例えば、取得した電子文書の基底構造を分析するステップを備えてもよい。さらに、この検索は、取得した電子文書から任意の参照を抽出するステップを備えてもよい。例えば、任意の参照の検索は、取得した電子文書から任意の参照を抽出するステップ、又は、任意の参照を構文解析するステップを備えてもよい。そして、抽出した任意の参照は電子装置１１０内のメモリ装置１１３に一時的に格納されてもよい。
【００３０】
以下は、取得した電子文書に関して行われる抽出するステップ又は構文解析するステップを例示するものである。取得した電子文書は以下の内容を備えるものと想像されたい。
［データ：０１２３４］［参照：０１３５８９］［データ：５６７８９］
ここで、［データ：０１２３４］は表示可能なテキストデータであり、［参照：０１３５８９］は別の電子文書への参照であり、そして、［データ：５６７８９］はその他のデータである。
【００３１】
「参照」から始まるすべてのデータを抽出して、メモリ装置１１３内に一時的に格納し、他のすべてのデータを除去せよという規則に従って、データ「［データ：０１２３４］［参照：０１３５８９］［データ：５６７８９］」がフィルタされた場合には、抽出されたデータは以下の内容を有することになるだろう。：
「［参照：０１３５８９］」
【００３２】
したがって、上記抽出規則は、取得した電子文書の中に含まれて又は埋め込まれている任意の参照の検索を実行するために利用されるであろう。同等の規則もまた、参照の検索を実行するために利用されるであろう。例えば、ＵＲＩアドレスやＵＲＬアドレスなどの参照の電子アドレスを抽出することによって参照の検索が実行されるかもしれない。さらに別のオプションとして、「ｗｗｗ」から始まるか、「．ｓｅ」、「．ｃｏｍ」等で終わるデータの抽出がある。
【００３３】
さらに、処理部１１２は、メモリ装置１１３から検索された任意の参照を読み出すように構成されてもよい。さらに、処理部は、検索された参照に関連付けられた電子文書の評価を求める要求を第２のサーバ１３０に送信するように構成されてもよい。この要求は、例えばＨＴＴＰリクエストの形式で送信されてもよい。ある実施形態では、要求は任意の検索された参照を含む。さらに、要求は、この要求に付随する検索された参照に関連付けられた電子文書を返信するための要求であってもよい。
【００３４】
ある実施形態では、要求はコンテキストデータを含んでもよい。コンテキストデータは、要求に含まれる参照に関連付けられた電子文書の評価に影響を与えるデータを含んでもよい。したがって、このコンテキストデータは、要求に付随する参照の評価に対して制限を設けるデータを含んでもよい。コンテキストデータは、例えば、取得した電子文書の性質や事前に取得した電子文書の性質のような多くの情報の形式を含んでもよい。上記に加えて、又は、上記に替えて、コンテキストデータは、電子装置１１０のユーザと、例えば電子装置１１０がある種の電子文書と互換性を有するか又は電子装置１１０が例えば成人向けの内容、広告用の内容などのある種の内容が含む電子文書の受信を許可するものであるかというような電子装置１１０の性質と、の少なくともいずれかに関連する事前に設定された関心対象カテゴリを含む。
【００３５】
第２のサーバ１３０は、電子装置１１０からの要求の受信の際に、検索された参照に関連付けられた電子文書を評価するように構成されてもよい。第２のサーバ１３０は、要求に付随する任意の参照に関連付けられた電子文書を評価するように構成されてもよい。こうして、ランク要求に付随する参照の個々の評価結果を含む応答を電子装置１１０に返信することが可能となる。
【００３６】
第２のサーバ１３０により行われる評価は、評価を要求された参照に関連付けられた電子文書の内容などに基づいてもよい。上記に替えて、又は上記に加えて、評価は例えば、電子文書を参照する電子文書の数、広告用内容の量等のような、評価要求の対象である電子文書の内容以外のデータに基づいてもよい。さらに、この評価は、検索された参照のうちの評価を要求された各々に対して、例えば数値形式でランクを割り当てるステップを含んでもよい。この評価自体は既知の原理に従って行うことができるため、本明細書ではこれ以上説明はしない。さらに、コンテキストデータが要求に付随している場合には、評価はこのコンテキストデータに基づいてもよい。
【００３７】
電子装置１１０の処理部１１２はまた、第２のサーバ１３０から応答を受信するように構成されてもよい。この応答はランク等のような評価の結果を含んでもよい。さらに、処理部１１２は受信した評価の結果と、取得した電子文書とを統合するように構成されてもよい。したがって、処理部１１２は取得した電子文書と、上記応答と共に受信した評価の結果とを一体化するように構成されてもよい。特に、処理部１１２は、取得した電子文書の（単複の）それぞれの参照の任意の（単複の）参照に関連付けられた（単複の）電子文書の評価の結果を一体化するように構成されてもよい。その結果、電子装置１１０は、取得した電子文書が参照する任意の参照に関連付けられた電子文書の評価の結果を取得するように構成されてもよい。
【００３８】
評価の結果は、取得した電子文書と統合されてもよい。この評価は、例えば、取得した電子文書を表示する場合に、評価要求の対象である参照と一緒に棒グラフとして示すように統合されてもよい。上記に替えて又は上記に加えて、評価の結果は、取得した電子文書を表示する場合に、ポップアップウィンドウに評価の結果を示すように統合されてもよい。ポップアップウィンドウは、例えば、評価を要求して取得した参照の上にカーソルが重ねられた場合に表示されても良い。
【００３９】
図２では、通信ネットワークの概略図が示されている。図２を参照して以下で説明することに加えて、図１の対応する参照番号を有する図２の要素は、図１を参照して説明した場合と同様に動作し、相互に通信のやりとりを行う。
【００４０】
通信ネットワーク２００は、電子装置１１０が移動体端末２１０の内部に構成されるという点で、図１を参照して前述した通信ネットワークとは異なる。図２には、移動体電話機として移動体端末２１０が例示されている。しかし、便宜上かつ表示を簡略にするために、以下、移動体端末２１０を参照することにする。このことは限定的に解釈されるべきではなく、一例として解釈すべきである。上記に替えて、電子装置１１０は例えば、通信装置、携帯用又はハンドヘルド型移動体無線通信装置、移動体無線端末、携帯電話、ページャ、コミュニケータ、電子手帳、スマートフォン、コンピュータ等に実装することができる。
【００４１】
図２に示すように、移動体端末２１０はディスプレイ２１４、キーパッド／キーボード２１５、スピーカ２１６、及びマイク２１７を備え、これらを通じてユーザは操作を行い、移動体端末２１０と相互に通信のやりとりを行うであろう。さらに、移動体端末２１０は、無線接続を通じて音声とデータとの少なくともいずれかを通信ネットワーク２００と通信するための内蔵アンテナを備えるであろう。本実施形態では、移動体端末２１０は第１のサーバ１２０及び第２のサーバ１３０と接続可能であろう。
【００４２】
図３は移動体端末２１０に統合されるであろうコンポーネントを説明する図である。通信部２１８は外部の通信装置との通信のために動作可能である。通信部２１８は例えば、ＧＳＭ（移動体通信用グローバルシステム）、ＵＭＴＳ（汎用移動体通信システム）、ＣＤＭＡ２０００（符号分割多元接続）、ＰＤＳ（個人用デジタルシステム）、又はＰＤＣ（パーソナル・デジタル・セルラ電話機）のような任意の通信技術に従って、アンテナ２１９を介して通信ネットワーク２００と通信するためのトランシーバを備えてもよい。通信部２１８はさらに、例えば、Ｂｌｕｅｔｏｏｔｈ（登録商標）、ＷＬＡＮ又はＺｉｇＢｅｅ（登録商標）技術に準拠するような短距離無線通信用に構成されてもよい。
【００４３】
移動体端末２１０はまた、ＣＰＵ２２１と通信するように構成されたメモリ装置２２０を備えてもよい。典型的には、ＣＰＵ２２１は、移動体端末２１０の動作と機能とを制御するためにアドレス／データバスを介してメモリ装置２２０と通信するように構成されるであろう。メモリ装置２２０は、移動体端末２１０の機能を実行するのに用いるソフトウェアとデータとを備えるメモリ装置からなる階層全体を表してもよい。メモリ装置２２０は、例えば、以下のタイプのメモリ装置、すなわち、キャッシュ、ＲＡＭ（ランダムアクセスメモリ、ＲＯＭ（リードオンリメモリ）、フラッシュメモリ、不揮発性メモリ、ＳＩＭ（加入者識別モジュール）等を備えてもよい。移動体端末２１０の種々の機能のためのデータ命令又はソフトウェアがメモリ装置２２０に格納されてもよい。
【００４４】
図３に例示するように、移動体端末２１０は電子装置１１０も備えるであろう。図３には、電子装置１１０が、移動体端末２１０のＣＰＵ２２１とアドレス／データバスを介して通信するように構成されるであろう別立てのユニットとして例示されている。電子装置１１０は、例えばＡＳＩＣ（特定用途向集積回路）の形式で実現されてもよい。ある実施形態では、電子装置１１０はソフトウェアを実行するＣＰＵ２２１により提供される。電子装置１１０の動作と機能とについては図１を参照しながら上記で詳細に説明したので、ここではこれ以上説明しない。
【００４５】
図４には、通信ネットワークの概略図が例示されている。図４を参照しながら以下で説明することに加えて、図２の対応する参照番号を有する図４の要素は、図２を参照しながら行った説明の場合と同様に動作し、相互に通信のやりとりを行う。
【００４６】
図４に示す通信ネットワークにおいて、通信ネットワーク４００は、サービスプロバイダ・サーバ４４０をさらに含むという点で、図２を参照して説明した通信ネットワーク２００と異なる。本実施形態では、電子装置１１０はサービスプロバイダ・サーバ４４０に統合されるであろう。電子装置１１０の動作及び機能については図１を参照しながら上記に詳細に説明したので、ここではこれ以上説明しない。
【００４７】
本実施形態では、移動体端末４１０は、サービスプロバイダ・サーバ４４０に、ある電子文書を返信するように求める要求を送信するように構成されるであろう。この要求は、例えばＨＴＴＰリクエストの形式で送信されてもよい。図２及び図３の移動体端末と、図４の移動体端末４４０との間の相異点は、電子装置１１０が移動体端末４４０に含まれていないという点である。しかしながら、ある実施形態では、移動体端末とサービス提供用サーバ４４０との双方に電子装置１１０が含まれる。図２と図３を参照しながら説明した他のいずれのコンポーネントも移動体端末４１０に含んでもよい。
【００４８】
サービスプロバイダ・サーバ４４０は移動体端末４１０が要求する電子文書を取得するように構成されるであろう。サービスプロバイダが例えばＨＴＴＰリクエストなどの形式で移動体端末４１０から要求を受信した時点で、上記取得は実行されるであろう。電子文書は、例えば第１のサーバ１２０などを介して情報ネットワークから取得されるであろう。電子装置１１０はサービスプロバイダ・サーバ４４０に備えられているため、サービスプロバイダ・サーバ４４０は、取得した電子文書が参照する（単複の）参照に関連付けられた（単複の）電子文書の評価の結果を取得するように構成されるであろう。再言するが、取得した電子文書は、該取得した電子文書の任意の参照に関連付けられた電子文書の評価の結果と一体化されてもよい。参照に関連付けられた電子文書の評価の結果がサービスプロバイダ・サーバ４４０において利用可能になった時点で、上記の一体化は実行されるであろう。さらに、サービスプロバイダ・サーバ４４０は取得した電子文書を移動体端末４１０に中継してもよい。したがって、移動体端末４１０に中継された取得した電子文書は、該取得した電子文書の中に含まれる別の（単複の）電子文書の（単複の）参照に関連付けられた（単複の）電子文書の評価の結果を含むであろう。
【００４９】
さらに、移動体端末４１０は、最初に要求された電子文書を取得するように構成されてもよい。例えば、電子装置１１０の取得部１１１が移動体端末４１０に含まれる場合には、取得部１１１により電子文書が取得されるであろう。上記に替えて、移動体端末４１０に含まれる別の取得部により電子文書を取得してもよい。例えば、別の取得部は移動体端末４１０の装置２２０のメモリに格納されているブラウザアプリケーションプログラムであってもよい。
【００５０】
図５は、電子文書の中の１以上の参照の評価を取得する方法の実施形態を説明する図である。ステップ５０１で、電子装置から要求が受信される。電子装置は、例えば移動体端末２１０等であろう。上記要求は、第１の電子文書を電子装置へ返信することを求める要求である。ステップ５０２で、要求した電子文書を取得する。この電子文書は１以上の別の電子文書の１以上の参照を備えるであろう。ステップ５０３で、上記取得した電子文書の中に埋め込まれている又は含まれている任意の参照を電子文書から検索する。この検索については上記に詳細に説明したので、ここではこれ以上説明しない。次のステップであるステップ５０４において、検索した参照に関連付けられた電子文書の評価を求める要求をサーバ１３０に送信するであろう。この要求はステップ５０３で検索した参照を備えてもよい。さらに、この要求については上記に詳細に説明したので、ここではこれ以上説明しない。ステップ５０５で、サーバ１３０からの応答が受信される。この応答は、評価要求の対象である検索した参照に関連付けられた電子文書の評価の結果を含むであろう。続いて、ステップ５０６で、取得した電子文書と評価の結果とを統合してもよい。このことについては前に詳細に説明したので、ここではこれ以上さらに説明しない。そして、ステップ５０７で、評価の結果を含む第１の電子文書が、ステップ５０１で第１の電子文書を要求した電子装置に送信される。図１及び図２を参照しながら説明した実施形態では、ステップ５０１とステップ５０７とを省略することができることを理解できるであろう。
【００５１】
本発明は、コンピュータプログラム製品の中に埋め込むことが可能であり、これによって上述の方法と機能との実現が可能となる。コンピュータプログラム製品がロードされ、プロセッサのようなコンピュータ能力を有する装置で実行された場合に本発明を実現することができる。本文脈でのコンピュータプログラム、ソフトウェアプログラム、プログラム製品又はソフトウェアとは、処理機能を有するシステムに特別の機能を直接実行させるか、又は、別の言語、コードあるいは表記への変換後に上記機能を実行させることを意図する命令セットの任意の表現であって、任意のプログラム言語、コードあるいは表記での表現を意味するものである。さらに、コンピュータプログラム製品はコンピュータで読み取り可能な記憶媒体に格納してもよい。
【００５２】
本発明の実施形態により、取得した電子文書の中で参照される参照に関連付けられ又は対応する電子文書の評価の取得が可能となることは利点である。したがって、本発明の実施形態により、例えば、情報ネットワークからダウンロード可能な電子文書をナビゲート又はサーフィンするとき、情報の所望の部分を見つけるのにかかる時間の短縮が可能となるであろう。したがって、本発明の実施形態はユーザが迅速に関連情報を見つけるのに役立つ。最初に取得した電子文書からさらに離れた所又は別の場所に位置する別の電子文書の参照を追跡する価値があるかどうかを決定することは一般に容易であるだろう。したがって、不必要な参照を追跡しないようにすることが可能となる。この情報の所望の部分を発見するには限られた量の帯域のみを必要とする。さらに、帯域の限られた使用は全体的に、電力の過度の使用を軽減することにつながるであろう。したがって、処理電力の消費量を最低限に維持することが可能となる。
【００５３】
本発明の実施形態に関するさらなる利点は、移動体端末２１０などのような多くの異なるデバイスに電子装置１１０を統合できるであろうという点で、柔軟性を与えることが可能となるであろうという点である。例えば、電子装置１１０が移動体端末２１０に統合されると、通信セッションの間に情報の所望の部分を発見するために、限られた量の帯域のみが求められる。これによって、移動体端末２１０が動作するように意図される通信ネットワークの効率を高めることが可能となる。さらに、帯域の限られた使用は、移動体端末２１０よる電子文書の閲覧の際に、電力の過度の使用を軽減であろう。したがって、移動体端末２１０の利用可能なバッテリ使用時間の使用を最低限に保つことが可能となる。この結果、利用可能なバッテリ電力が不必要なほど急速に排出されることがなくなる。
【００５４】
別の実施形態では、電子装置１１０は、例えば、遠隔地にあるサービスプロバイダ・サーバ４４０に統合されるであろう。取得した電子文書内の参照に関連付けられた電子文書の評価の結果を取得する処理が、移動体端末２１０により行われるのではなく、サービスプロバイダ・サーバ４４０により行われることが利点であろう。この方法では、移動体端末２１０が必要とする処理電力をさらに制限することが可能となる。例えば、移動電話機などのような移動体端末２１０が限られたバッテリ電力とデータ転送レートとの少なくともいずれかを持つ通信装置である場合には、このことは利点であるだろう。
【００５５】
以上、特定の実施形態を参照しながら本発明について説明した。しかし、上記記載の実施形態とは別の実施形態も本発明の範囲で同様に可能である。本発明は、本明細書で説明した状況以外の状況でも適用可能である。ハードウェアやソフトウェアあるいはハードウェアとソフトウェアとの組み合わせによる方法を実行する、本明細書に記載したもの以外の異なる方法ステップを本発明の範囲で提供することも可能である。上記記載の特徴及びステップとは別の組み合わせで、本発明の上記様々な特徴及びステップを組み合わせることも可能である。本発明の範囲は添付の特許請求の範囲のみによって限定される。
【図面の簡単な説明】
【００５６】
【図１】電子装置、第１のサーバ及び第２のサーバを備える通信ネットワークのブロック図の一例である。
【図２】移動体端末、第１のサーバ及び第２のサーバを備える通信ネットワークの概略図の一例である。
【図３】図２の移動体端末のコンポーネントを説明するブロック図の一例である。
【図４】移動体端末、第１のサーバ、第２のサーバ及び第３のサーバを備える通信ネットワークの概略図の一例である。
【図５】１以上の電子文書の評価を取得する方法の実施形態を説明するフローチャートの一例である。
【図１】
2009510577.tif 000003
【図２】
2009510577.tif 000004
【図３】
2009510577.tif 000005
【図４】
2009510577.tif 000006
【図５】
2009510577.tif 000007
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
少なくとも一つの電子文書の評価を取得する方法であって、
第１の電子文書を取得する工程であって、該第１の電子文書は少なくとも第２の電子文書への少なくとも一つの参照を含む工程と、
前記第１の電子文書から前記第２の電子文書への前記参照を検索する工程と、
前記検索された参照に関連付けられた前記第２の電子文書の評価の要求をサーバ（１３０）に送信する工程と、
前記評価の結果を含む応答を前記サーバ（１３０）から受信する工程と
を備える電子文書の評価を取得する方法。
【請求項２】
前記検索する工程は、前記第１の電子文書から前記参照を抽出する工程を含むことを特徴とする請求項１に記載の電子文書の評価を取得する方法。
【請求項３】
前記検索された参照に関連付けられた前記電子文書の前記評価に影響を与えるためにコンテキストデータを前記要求に組み込む工程をさらに備える請求項１又は２に記載の電子文書の評価を取得する方法。
【請求項４】
前記第１の電子文書と前記評価の結果とを統合する工程をさらに備える請求項１乃至３の何れか１項に記載の電子文書の評価を取得する方法。
【請求項５】
前記取得する工程の前に、前記第１の電子文書を電子機器（４１０）へ返信することの要求を該電子機器（４１０）から受信する工程を備える請求項１乃至４の何れか１項に記載の電子文書の評価を取得する方法。
【請求項６】
前記統合する工程の後に、前記第１の電子文書と前記評価の結果とを前記電子機器（４１０）に送信する工程を備える請求項５に記載の電子文書の評価を取得する方法。
【請求項７】
コンピュータに、請求項１乃至６の何れか１項に記載の電子文書の評価を取得する方法を実行させるためのコンピュータプログラム。
【請求項８】
少なくとも一つの電子文書の評価を取得する電子装置（１１０）であって、
第１の電子文書を取得するように構成された取得部（１１１）であって、該第１の電子文書は少なくとも第２の電子文書への少なくとも一つの参照を含む取得部（１１１）と、
前記第１の電子文書から前記第２の電子文書への前記参照を検索し、
前記検索された参照に関連付けられた前記第２の電子文書の評価の要求をサーバ（１３０）に送信し、
前記評価の結果を含む応答を前記サーバ（１３０）から受信する
ように構成された処理部（１１２）と
を備える電子文書の評価を取得する電子装置（１１０）。
【請求項９】
前記処理部（１１２）は、前記第１の電子文書から前記参照を抽出するように構成されたことを特徴とする請求項８に記載の電子文書の評価を取得する電子装置（１１０）。
【請求項１０】
前記要求は、前記検索された参照に関連付けられた前記電子文書の前記評価に影響を与えるためのコンテキストデータを備えることを特徴とする請求項８又は９に記載の電子文書の評価を取得する電子装置（１１０）。
【請求項１１】
前記処理部（１１２）は、前記第１の電子文書と前記評価の結果とを統合するように構成されたことを特徴とする請求項８乃至１０の何れか１項に記載の電子文書の評価を取得する電子装置（１１０）。
【請求項１２】
前記電子装置（１１０）は、前記第１の電子文書を電子機器（４１０）に返信することの要求を該電子機器（４１０）から受信するように構成されたことを特徴とする請求項８乃至１１の何れか１項に記載の電子文書の評価を取得する電子装置（１１０）。
【請求項１３】
前記電子装置（１１０）は、前記第１の電子文書と前記評価の結果とを前記電子機器（４１０）に送信するように構成されたことを特徴とする請求項１２に記載の電子文書の評価を取得する電子装置（１１０）。
【請求項１４】
請求項８乃至１３の何れか１項に記載の電子装置を備える移動体端末（２１０）。
【請求項１５】
前記移動体端末は、通信装置、携帯用若しくはハンドヘルド型移動無線通信装置、移動体無線端末、携帯電話、ページャ、コミュニケータ、電子手帳、スマートフォン、又はコンピュータであることを特徴とする請求項１４に記載の移動体端末。
【請求項１６】
請求項８乃至１３の何れか１項に記載の電子装置（１１０）を備えるサーバ（４４０）。
【国際調査報告】
2009510577.tif 000008
2009510577.tif 000009